(57)【特許請求の範囲】
【請求項１】
複数本の雨樋を並列に組み合わせた状態で梱包する雨樋の緩衝材の構造であって、
前記緩衝材は水平部材と一対の垂直部材で断面コ字状に形成される枠部が柔軟材からなる筒状の緩衝部で覆われて成り、
複数本の雨樋がその長さ方向に対応して複数の前記緩衝材で上方又は下方から交互に保持された状態で、前記緩衝部と前記枠部の水平部材との間に第一の隙間を保持するとともに、前記軒樋と前記一対の垂直部の先端を結ぶ線との間に第二の隙間を保持することを特徴とする雨樋の緩衝材の構造。
【請求項２】
請求項１記載の雨樋の緩衝材の構造であって、前記雨樋は二本が組み合わされ、前記雨樋は一対の側壁と底壁から成る断面略Ｃ字状で、この略Ｃ字状の開口部を互いに対向した状態で一方の雨樋の一側壁を他方の前記開口部に挿入して他方の雨樋の一側壁と底壁で形成される隅部に当接して二本の雨樋を点対称的に配置し、前記雨樋の底壁が前記枠部の水平部材と平行な状態であることを特徴とする雨樋の緩衝材の構造。
【請求項３】
請求項１又は請求項２に記載の雨樋の緩衝材の構造であって、前記柔軟材からなる筒状の緩衝部は不織布で形成されることを特徴とする雨樋の緩衝材の構造。
【発明の詳細な説明】
【技術分野】
【０００１】
本発明は、雨樋の緩衝材の構造に関し、詳しくは、雨樋が傷つかないように梱包するための緩衝材の技術に関する。
【背景技術】
【０００２】
従来、雨樋を梱包する場合に特許文献１の構成が知られている。特許文献１によれば、図５に示すように、雨樋である軒樋１の梱包の構造は、屋外側耳部１ｃに至る側壁３を、やや内方に彎曲傾斜するとともに、その側壁３に続く底部の直線部分１０と内耳部１ａに至る側部の直線部分とで断面Ｌ字状の側壁を形成し、前記彎曲傾斜状の側壁３と前記断面Ｌ字状の側壁とで一本の軒樋１は断面略Ｃ字状に形成される。
【０００３】
そして、その軒樋１の上部開口２を相互に内方に対向して、二本の軒樋１、１を点対称的に配置することにより、一方の軒樋１の彎曲傾斜状の側壁３を、他方の軒樋１の側壁の断面Ｌ字状部に対向して相互の上部開口２、２内に挿入することにより、二本の軒樋１、１の全体を端面から観て略四角形状のシェル状部４に構成する。
【０００４】
このようなシェル状部４、４をその底部の直線部分１０、１０間に仕切り段ボール７を介して上下二段に重ね、断面略コ字状の発泡スチロールのような保護材５、５を上下に当てて４本の軒樋１を段ボール箱６で梱包する。
【０００５】
この構成であれば、一対の軒樋１、１でシェル（貝殻）状としたシェル状部４の内部には保護材を充填しなくてもシェル状なので外力に対して充分に強く、シェル状部４の回りに保護材５を配することで衝撃的な外力にも充分に耐えることができる。
【特許文献１】実公平６−１５８６９号公報
【発明の開示】
【発明が解決しようとする課題】
【０００６】
ところが、上記の軒樋の梱包構造でも、軒樋を積み重ねた場合に輸送時の振動によってシェル状部４、４の底部の直線部分１０、１０が仕切り段ボール７に接触して磨耗するので軒樋の表面に擦傷が生じてしまうという問題があった。
【０００７】
そこで、本発明は、上記従来の問題点を解消して、複数本の雨樋（竪樋、軒樋）の梱包時の擦傷をなくすことができる雨樋の緩衝材の構造を提供することを目的とする。
【課題を解決するための手段】
【０００８】
請求項１の発明は、複数本の雨樋を並列に組み合わせた状態で梱包する雨樋の緩衝材の構造であって、前記緩衝材は水平部材と一対の垂直部材で断面コ字状に形成される枠部が柔軟材からなる筒状の緩衝部で覆われて成り、複数本の雨樋がその長さ方向に対応して複数の前記緩衝材で上方又は下方から交互に保持された状態で、前記緩衝部と前記枠部の水平部材との間に第一の隙間を保持するとともに、前記軒樋と前記一対の垂直部の先端を結ぶ線との間に第二の隙間を保持することを特徴としている。
【０００９】
請求項２の発明は、請求項１記載の雨樋の緩衝材の構造であって、前記雨樋は二本が組み合わされ、前記雨樋は一対の側壁と底壁から成る断面略Ｃ字状で、この略Ｃ字状の開口部を互いに対向した状態で一方の雨樋の一側壁を他方の前記開口部に挿入して他方の雨樋の一側壁と底壁で形成される隅部に当接して二本の雨樋を点対称的に配置し、前記雨樋の底壁が前記枠部の水平部材と平行な状態であることを特徴としている。
【００１０】
請求項３の発明は、請求項１又は請求項２に記載の雨樋の緩衝材の構造であって、前記柔軟材からなる筒状の緩衝部は不織布で形成されることを特徴としている。
【発明の効果】
【００１１】
請求項１の発明によれば、前記緩衝材は水平部材と一対の垂直部材で断面コ字状に形成される枠部が柔軟材からなる筒状の緩衝部で覆われて成る。そして、複数本の雨樋がその長さ方向に対応して複数の前記緩衝材で上方又は下方から交互に保持された状態で、前記緩衝部と前記枠部の水平部材との間に第一の隙間を保持するとともに、前記軒樋と前記一対の垂直部の先端を結ぶ線との間に第二の隙間を保持するように形成される。
【００１２】
このため、複数本の雨樋は前記緩衝材の内部において緩衝部によって枠部の内部の略中央で宙吊りの状態なので直接前記枠部と接触しないように保持できるとともに輸送時の振動の直接伝わらないので、接触磨耗が回避できて雨樋の表面に擦傷が生じるということがなくなる。
【００１３】
請求項２の発明によれば、前記雨樋は二本が組み合わされ、前記雨樋は一対の側壁と底壁から成る断面略Ｃ字状で、この略Ｃ字状の開口部を互いに対向した状態で一方の雨樋の一側壁を他方の前記開口部に挿入して他方の雨樋の一側壁と底壁で形成される隅部に当接して二本の雨樋を点対称的に配置する。このため、前記雨樋の底壁が前記枠部の水平部材と平行な状態であるので、前記隙間を最大にすることができるので、前記雨樋が前記枠部の水平部材に接触する可能性が低くなるので請求項１の発明の効果をさらに大きく得ることができる。
【００１４】
請求項３の発明によれば、前記柔軟材からなる筒状の緩衝部は不織布で形成されるので、不織布は合成樹脂製の雨樋による圧着に対して転写を防ぐ効果に優れるので雨樋の品質を損なうことがない。
【発明を実施するための最良の形態】
【００１５】
＜雨樋の緩衝材の構造の構成＞  
以下に、本発明の実施形態を図１〜図４に基づいて説明する。なお、本発明の雨樋の緩衝材の構造は竪樋や軒樋に適応されるが、以下の説明では軒樋として説明する。
【００１６】
図１、図２、図３、図４（ａ）、（ｂ）、（ｃ）に示すように、二本の軒樋１１は並列に組み合わせた状態で緩衝材１４に梱包され、緩衝材１４は枠部１２が筒状の緩衝部１３で覆われる構成である。枠部１２（長さＬ）は水平部材１２ａ（幅Ｓ）と一対の垂直部材１２ｂ（高さＨ）で断面コ字状に形成され、緩衝部１３（長さＬ１）は柔軟材で筒状に形成される。いま、長さＬＬの二本の軒樋１１は三組の緩衝材１４によってそれぞれ下方、上方、下方から交互に保持される。なお、三組の梱包材１４で保持された二本の軒樋１１はさらに図示しないダンボール等で全体が梱包される。
【００１７】
軒樋１１の断面形状は、一対の側壁（長い側壁１１ａ、短い側壁１１ｂ）と底壁１１ｃから成る断面略Ｃ字状である。二本の軒樋１１の組合せ方法は、開口部１１ｄを互いに対向した状態で一方の軒樋１１の長い側壁１１ａを他方の軒樋１１の開口部１１ｄに挿入して他方の軒樋１１の短い側壁１１ｂと底壁１１ｃで形成される隅部１１ｅに当接して二本の軒樋１１を点対称的に抱き合わせて配置する。この配置によって二本の軒樋１１のそれぞれの底壁１１ｃは平行状態である。
【００１８】
枠部１２の緩衝部１３に二本の軒樋１１を載せると、二本の軒樋１１に押されて湾曲する緩衝部１３と枠部１２の水平部材１２ａとの間に第一の隙間Ｋ１が保持される。そして、軒樋１１と一対の垂直部材１２ｂの両先端１２ｃを結ぶ線１２ｄとの間には第二の隙間Ｋ２が保持される。
【００１９】
より詳しくは、第一の隙間Ｋ１と第二の隙間Ｋ２は略同じ隙間となるように緩衝部１３の筒状の周縁長Ｍが設定されるので、二本の軒樋１１が緩衝材１４の内部の略中央部で宙吊りの状態に保持される。さらに、緩衝部１３に載せた状態の軒樋１１は、それぞれの底壁１１ｃが枠部１２の水平部材１２ａと平行な状態に保持されるので、隙間Ｋ１、Ｋ２は形状的に等分で得ることのできる最大隙間幅である。
【００２０】
枠部１２は紙製ダンボール等が用いられ、緩衝部１３は柔軟材で引張りには充分な強度を備える材料として不織布が用いられる。軒樋１１の材質は、例えば、硬質ポリ塩化ビニルの樹脂材が使用される。
＜雨樋の緩衝材の構造の作用＞
【００２１】
上述のように、長さＬＬの二本の軒樋１１は三組の緩衝材１４によってそれぞれ下方、上方、下方から交互に保持される。断面略Ｃ字状の二本の軒樋１１は開口部１１ｄを互いに対向した状態で二本の軒樋１１のそれぞれの底壁１１ｃが平行状態である。そして、緩衝部１３に載せた状態の軒樋１１は、それぞれの底壁１１ｃが枠部１２の水平部材１２ａと平行な状態に保持される。
【００２２】
このように、枠部１２の内部の略中央部で二本の軒樋１１が宙吊りの状態に保持されるので、軒樋１１に輸送中の揺れや衝撃が掛かってもの軒樋１１は枠部１２に接触しないので変形や傷を防止することができる。緩衝材１４の構造が簡単なので梱包コストが低減できる。また、緩衝材１４は軒樋１１の長さに対応して適宜その必要使用数を選択できるので、使い勝手に優れ汎用性が向上し、輸送時の通い箱はもとより一般的な保管時にも有効に用いることができる。
【００２３】
以上、本発明の実施例を図面に基づいて説明したが、具体的な構成はこの実施例に限られるものではなく本発明の要旨を逸脱しない範囲の設計変更等があっても本発明に含まれる。
【００２４】
例えば、二本の軒樋１１の抱き合わせで形成される空間部に空間形状に合わせて緩衝材料を挿入すればさらに効果が向上する。軒樋１１の抱き合わせ形状は軒樋１１の断面形状に応じて様々な形状に対応できる。
【００２５】
緩衝材１４の抱き合わせ使用本数は三本以上でも構わない。軒樋１１の一端部に緩衝材１４を一本だけ使用して、他端部を別途考慮される緩衝材等で賄うことも可能である。枠部１２は紙製以外に合成樹脂製の段ボール等を用いてもよい。
【図面の簡単な説明】
【００２６】
【図１】本発明の実施形態における、三組の緩衝材１４を用いる軒樋１１の梱包状態を示す斜視図である。
【図２】本発明の実施形態における、図１のＡ−Ａ断面図である。
【図３】本発明の実施形態における、図１のＢ−Ｂ断面図である。
【図４】本発明の実施形態における、（ａ）は断面コ字状に形成される枠部１２の斜視図、（ｂ）は筒状の緩衝部１３の斜視図、（ｃ）は枠部１２に緩衝部１３が装着された状態を示す断面図である。
【図５】従来の、軒樋１の梱包状態を示す断面図である。
【符号の説明】
【００２７】
１１  軒樋
１１ａ  長い側壁
１１ｂ  短い側壁
１１ｄ  開口部
１１ｅ  隅部
１２  枠部
１２ａ  水平部材
１２ｂ  垂直部材
１２ｃ  先端
１２ｄ  線
１３  緩衝部
１４  緩衝材
Ｋ１  第一の隙間
Ｋ２  第二の隙間
【図１】
0004915816.tif 000002
【図２】
0004915816.tif 000003
【図３】
0004915816.tif 000004
【図４】
0004915816.tif 000005
【図５】
0004915816.tif 000006